(57)【要約】【課題】蛍光灯具の蛍光灯を所定の取り付け位置に確実に保持することができ、蛍光灯の取り付けも容易に行えるようにした新規な構造の脱落防止具を得る。【解決手段】帯状板材を略Ｕ字乃至Ｖ字形に屈曲させ、その一端部に被回転支持部６２、他端部に外方折り返し部６３を設けて形成し、被回転支持部６２を反射板４で回転自在に支持し、外方折り返し部６３を反射板４に設けた被係合部４２に着脱自在とし、蛍光灯５の下部周面を屈曲部６１で支持する。【選択図】　　　　図３
0003097251.tif 000002
【実用新案登録請求の範囲】
【請求項１】
帯状板材を略Ｕ字乃至Ｖ字形に屈曲させてなり、その両端部を蛍光灯具の反射板に取り付け、反射板から吊り下がった屈曲部側で蛍光灯の下部外周を支持するように構成された蛍光灯の脱落防止具。
【請求項２】
一端部に被回転支持部、他端部に外方折り返し部を設けて形成されていて、前記被回転支持部が反射板に回転自在に支持され、前記外方折り返し部が反射板に設けた被係合部に着脱自在とされた請求項１に記載の蛍光灯の脱落防止具。
【考案の詳細な説明】
【０００１】
【考案の属する技術分野】
本考案は、蛍光灯具の蛍光灯が適正な取り付け位置から脱落するのを防止するための器具に関する。
【０００２】
【従来の技術】
駅のプラットホームなどに設置される、２ｍほどの長い蛍光灯を装備した蛍光灯具には、蛍光灯の落下を防止する脱落防止具が取り付けられている。
この脱落防止具１０は、図５に示されるように、蛍光灯１２の外径と略同じ幅に設けた基部１０ａの両端部から腕部１０ｂ、１０ｂを平行に突出させるともに両腕部の先端を互いに先細り状に湾曲させて形成されており、蛍光灯具１１の反射板１３に基部１０ａをネジ止め固定し、反射板１３から垂下した腕部１０ｂ、１０ｂの間に、端部を電極ソケット１４に嵌め入れた蛍光灯１２を圧入し、両腕部で蛍光灯１２の外周を挟み持って支持するようになっていた。
【０００３】
【考案が解決しようとする課題】
従来の脱落防止具１０は、反射板１３の下面に固定されていたため、蛍光灯１２を取り付ける際に、蛍光灯１２の両端電極を電極ソケット１４に嵌め込む操作と蛍光灯１２を脱落防止具１０に差し入れる操作を同時に行わなければならず、取り付け操作が煩わしく手間がかかるという問題があった。
【０００４】
本考案は従来の技術の有するこのような問題点に鑑み、蛍光灯具の蛍光灯を所定の取り付け位置に確実に保持することができ、また、蛍光灯の取り付けも容易に行えるようにした新規な構造の脱落防止具を得ることを課題とする。
【０００５】
【課題を解決するための手段】
前記課題を解決するため本考案の蛍光灯の脱落防止具は、帯状板材を略Ｕ字乃至Ｖ字形に屈曲させてなり、その両端部を蛍光灯具の反射板に取り付け、反射板から吊り下がった屈曲部側で蛍光灯の下部外周を支持するように構成されたことを特徴とする。
【０００６】
前記構成の脱落防止具において、一端部に被回転支持部、他端部に外方折り返し部を設けて形成し、前記被回転支持部が反射板に回転自在に支持され、前記外方折り返し部が反射板に設けた被係合部に着脱自在とされるように設けることが好ましい。
【０００７】
これによれば、反射板から吊り下がった脱落防止具の屈曲部が蛍光灯の下側をぐるりと包囲して蛍光灯下面を支持し、蛍光灯を所定の取り付け位置に固定し保持させることができる。
また、反射板に対し、脱落防止具の一端部が回動自在、他端部が着脱自在に設けてあれば、反射板の下側で脱落防止具を回動させて変位させることができるので、電極ソケットに蛍光灯を取り付ける際に脱落防止具が邪魔となるようなこはなく、蛍光灯の取り付け操作をスムーズに行える。
【０００８】
【考案の実施の形態】
図１は本考案の一実施形態の脱落防止具を装備した蛍光灯具の外観を示している。図示されるように、この蛍光灯具１は、下部を開口面とした枠体２と、枠体２内に取り付けられる電極ソケット３及び反射板４と、電極ソケット３、３間に支持される蛍光灯５との各部材により構成されており、蛍光灯５の周面二箇所に脱落防止具６を装着して蛍光灯５が支持されるようになっている。
【０００９】
詳しくは、図２に示されるように、脱落防止具６は、細長いステンレス板などの帯状板材を略Ｖ字形に折り曲げてなり、その中央部を蛍光灯５の外径と略同径に屈曲させ、その一端部６２を筒状に折り曲げ、他端部６３を外側に折り返した形状に形成されている。
【００１０】
そして、図３に示されるように、脱落防止具６は、その筒状端部６２が反射板４に形成された孔部４１に係入され、同孔部内に架設した回転軸４３を挿通させて反射板４に回転自在に取り付けられ、また、折り返し端部６３が、同じく反射板４に形成された孔部４２内に係合自在に設けてあり、折り返し端部６３を孔部４２に係合させた状態では屈曲部６１が反射板４の下側に吊り下がり、電極ソケット３、３間に取り付けた蛍光灯５の下部周面を屈曲部６１で支持するようになっている。
【００１１】
なお、反射板４の孔部４１、４２間の幅Ｄは、脱落防止具６の両端部間の幅ｄよりも僅かに狭く設定してあり、折り返し端部６３を孔部４２に係合させたときに、脱落防止具自体の弾性によって折り返し端部６３を孔部４２の縁部に押圧することにより係合状態が維持されるようになっている。
【００１２】
脱落防止具６が装備された蛍光灯具１に蛍光灯５を取り付ける操作は、先ず、折り返し端部６３を反射板４から取り外して脱落防止具６を宙ぶらりんとし、その状態で蛍光灯５の両端電極を電極ソケット３、３に嵌め入れ、次いで、脱落防止具６を蛍光灯５の外周に掛け回し、折り返し端部６３を孔部４２に係合させて完了する。
このように、蛍光灯５を取り付ける際に脱落防止具６が邪魔とならず、蛍光灯５を電極ソケット３、３に取り付けた後で脱落防止具６を装着すればよいので、従来のものと比較して蛍光灯５の取り付け操作が簡単になり、迅速且つスムーズな取り付けを可能とし、また、蛍光灯５の下部周面に掛け回した脱落防止具６の屈曲部６１で蛍光灯５を安定的に支持することができる
【００１３】
なお、図示した脱落防止具６の形態は一例であり、本考案は他の様々な形態で構成することができる。脱落防止具６は、反射板４から吊り下がった屈曲部６１で蛍光灯５の下部を支持可能であれば屈曲形状は問わず、他の適宜な形態に設けることができる。図４は他の形態例を示し、同図（Ａ）は屈曲部６１が折れ曲がったもの、同図（Ｂ）、（Ｃ）は全体が略Ｕ字形の屈曲したもの、同図（Ｄ）は屈曲部６１内に折れ部を設けたものである。また、脱落防止具６の両端部６２、６３を、反射板５に対して着脱自在としてもよい。
【図面の簡単な説明】
【図１】本考案の一実施形態の脱落防止具を装着した蛍光灯具の外観図である。
【図２】図１の脱落防止具の正面図と側面図である。
【図３】図１の脱落防止具で蛍光灯を支持する状態を示した図である。
【図４】脱落防止具の他の形態を示した図である。
【図５】従来の蛍光灯具の要部破断拡大側面図（Ａ）と、正面端部部分を拡大断面で示した図（Ｂ）である。
【符号の説明】
１　蛍光灯具、２　枠体、３　電極ソケット、４　反射板、５　蛍光灯、６　脱落防止具、６１　屈曲部、６２　筒状端部、６３　折り返し端部
【図１】
0003097251.tif 000003
【図２】
0003097251.tif 000004
【図３】
0003097251.tif 000005
【図４】
0003097251.tif 000006
【図５】
0003097251.tif 000007